(57)【特許請求の範囲】
【請求項１】
チェーンコンベヤ自動給油機本体をチェーンコンベヤに向かって移動させる付勢手段とチェーンコンベヤ蛇行追従装置を有するチェーンコンベヤ自動給油機であって、前記チェーンコンベヤ蛇行追従装置は、前記チェーンコンベヤ自動給油機に取り付けられる、チェーンコンベヤに直交する方向に延びる一定長さの一対のアームと、該一対のアームの先端に取り付けられた二つの当接ロールを有し、前記一対のアームは、前記二つの当接ロールの少なくとも１個が前記自動給油機に近いリンクプレートに当接するように、チェーンコンベアの長さ方向に一定の間隔を有していることを特徴とするチェーンコンベヤ自動給油機。
【発明の詳細な説明】
【０００１】
【発明の属する技術分野】
本発明は、チェーンコンベヤが蛇行しても給油が可能な自動給油機に関するものである。
【０００２】
【従来の技術】
移動しているチェーンコンベヤのローラやリンクピンに給油するために、チェーンコンベヤ自動給油機が使用されている。このチェーンコンベヤ自動給油機を図４〜６により説明する。１はチェーンコンベヤ、２はローラ、３はリンクプレート、４はチェーンコンベヤのローラ、リンクピンにグリースを給油するためのグリースニップルである。５はチェーンコンベヤ自動給油機（以下、自動給油機という）で、リンクプレート３に向かって伸縮するガイドアーム７と同様にリンクプレートに向かって伸縮する給油アーム６を有している。自動給油機５は、チェーンコンベヤ１の外側近傍に設けられ、平行リンクとばねの組合せや走行レールとばねの組合せ等によりチェンコンベヤの進行方向に平行して一定距離移動し、ばねにより元の位置に戻ることができる。
【０００３】
図４において、チェーンコンベヤ１は、右方向に移動している。ガイドアーム７が前進し、ガイドアーム７の先端の係止片７ａがグリースニップル４の通過位置にくると停止する。チェーンコンベヤが進行し、係止片７ａの左側のグリースニップル４が係止片７ａに当接すると、図５に示すように、給油アーム６の中心がグリースニップル４の中心に一致する。給油アーム６が前進し、その先端の給油口６ａがグリースニップル４の口金に嵌合し、停止する。この間、グリースニップル４が係止片７ａを押すので、自動給油機５はチェーンコンベヤの進行方向に移動し、グリースが給油される。一定量のグリースが給油されると、図６に示すように、ガイドアーム７と給油アーム６が後退し、係止片７ａがグリースニップル４から外れ、自動給油機５がばね力により元の位置に移動する。そのご、図４〜６の動作が繰り返して行われチェーンコンベヤの全てのグリースニップルに給油がなされる。
【０００４】
しかし、チェーンコンベヤ１は、長期間の運転により、ローラ、リンクピンやレール等が摩耗し、グリースニップル４が、その高さが低くなったり、傾斜したりして、上記自動給油機の給油口６ａが、グリースニップル４の口金に嵌合できなくなり、給油ができなくなるという問題が発生する。このような問題を解決するために、実開昭６２−７１１１２号が提案されている。この自動給油機は、給油ノズル取付台を上下動可能に、かつ給油ノズル（前記給油口に相当）をグリースニップルの傾斜に合わせて傾動可能にしている。
【０００５】
【発明が解決しようとする課題】
しかし、チェーンコンベヤは、ローラが摩耗すると、リンクプレートが図４の前後方向に変位しながら進行する、いわゆる蛇行運動を起こすようになる。このような蛇行運動がおこると、グリースニップルが前後方向に変位する。前記実開昭６２−７１１１２号の自動給油機は、給油ノズルの移動ストロークを変更する機能が無いので、チェーンコンベヤが蛇行運動すると、次のような問題が発生する。
【０００６】
（１）蛇行によりグリースニップルが、前方に変位し自動給油機とグリースニップルの間隔が短くなると、給油ノズルがグリースニップルに強く当たり、給油ノズルまたは、グリースニップルが破損して給油不能となる。
【０００７】
（２）蛇行によりグリースニップルが、後方に変位し自動給油機とグリースニップルの間隔が長くなると、給油ノズルがグリースニップルに届かなくなり給油不能となる。
【０００８】
【課題を解決するための手段】
本発明の課題は以下の手段により達成可能である。
１．チェーンコンベヤ自動給油機本体をチェーンコンベヤに向かって移動させる付勢手段とチェーンコンベヤ蛇行追従装置を有するチェーンコンベヤ自動給油機であって、前記チェーンコンベヤ蛇行追従装置は、前記チェーンコンベヤ自動給油機に取り付けられる、チェーンコンベヤに直交する方向に延びる一定長さの一対のアームと、該一対のアームの先端に取り付けられた二つの当接ロールを有し、前記一対のアームは、前記二つの当接ロールの少なくとも１個が前記自動給油機に近いリンクプレートに当接するように、チェーンコンベアの長さ方向に一定の間隔を有していることを特徴とするチェーンコンベヤ自動給油機。
【０００９】
「作用」
チェーンコンベヤが蛇行しても、チェーンコンベヤ自動給油機をチェーンコンベヤのリンクプレートに向かって移動させる付勢手段と、チェーンコンベヤ自動給油機に一対のアームを介して取付けられた当接ローラによって、チェーンコンベヤ自動給油機とグリースニップルの間の距離が一定に保たれる。これにより、チェーンコンベヤが蛇行しても、給油が可能となる。
【００１０】
【発明の実施の形態】
本発明の実施の形態を図面に基づいて以下に説明する。
【００１１】
図１は、本発明に係る自動給油機の平面図、図２は、図１のＡ−Ａ矢視図、図３は、図１のＢ−Ｂ矢視図である。１はチェーンコンベヤ、２はチェーンコンベヤのローラ、３はチェーンコンベヤのリンクプレート、４はグリースニップルである。５はチェーンコンベヤ自動給油機、６は給油アーム、６ａは給油口、７はガイドアームである。チェーンコンベヤ１は、ローラ２が摩耗すると、蛇行するようになり、リンクプレート３およびグリースニップル４が図１の矢印イの方向、即ち、前後方向に変位する。
【００１２】
自動給油機５の給油アーム６のストロークが一定で調整ができないめ、グリースニップル４がチェーンコンベヤ１の蛇行により前後方向に変位すると、給油口６ａがグリースニップル４に届かなくなったり、給油口６ａがグリースニップル４に強く当たり給油口６ａ、またはグリースニップル４が破損したりし、給油不能となる。本発明では、このような給油不能を回避するために、自動給油機５に蛇行追従装置を設けている。この蛇行追従装置を以下に説明する。
【００１３】
１０は、チェーンコンベヤ１の進行方向に平行に設けた一対の第１ガイドレール１１、１１に係合して左右方向に摺動する摺動台である。この摺動台１０は、ガイドアーム７とグリースニップル４が係合して右側に一定距離だけ移動した後で、ガイドアーム７を前側に引き込んで係合を解いたとき、図示しないばねにより左側の元の位置に戻るようになっている。
【００１４】
摺動台１０の上に、チェーンコンベヤ１に直交する方向（チェーンコンベヤ１の進行方向に直交する方向）に延びる一対の第２ガイドレール１２，１２が設けられている。１３は、自動給油機５の底面に取り付けた係合部材で、第２ガイドレール１２に係合する凹溝が形成されている。自動給油機５は、係合部材１３と第２ガイドレール１２により摺動台１０の上をチェーンコンベヤ１に直交する方向に移動することができる。
【００１５】
自動給油機５の底面の中央、係合部材１３の後方に係止片１４が、一方、摺動台１０の上面の中央、後端部に係止片１５が取付けられており、これらの間に引っ張りばね１６が取付けられている。このばね１６により自動給油機５は、常にチェーンコンベヤ側に移動するように付勢されている。なお、前記の引っ張りばねに代えて、圧縮ばね、エアシリンダーで付勢するようにしてもよい。
【００１６】
自動給油機５のチェーンコンベヤ１と相対する側面に、チェーンコンベヤに直交する方向に延びる一対のアーム１７，１７が取付けられ、それらの先端に当接ローラ１８が取付けられている。リンクプレート３は図１に示すように、隣接するリンクプレート３，３の間には、前後方向に段差があるので、一対のアーム１７，１７の取付け間隔をグリースニップル４，４の間隔よりも小さくすると、グリースニップル４と自動給油機５の距離を一定に保つことができなくなる。そこで、一対のアーム１７，１７の取付け間隔は、二つの当接ローラ１８，１８のうち少なくとも１個が自動給油機５に近いリンクプレート３に当接するように、グリースニップル４，４の間隔と等しくするか、または若干大きくする。また、図２に示すように、当接ローラ１８がグリースニップル４と干渉しないように、アーム１７の取付け高さを決めている。自動給油機５の側面から当接ローラ１８の外側端までの距離Ｌ（図３参照）は、ガイドアーム７と給油アームのストロークに基づいて決めてある。
【００１７】
従って、チェーンコンベヤ１が、蛇行してグリースニップル４が前後方向に変位しても、上述した蛇行追従装置により、自動給油機５とグリースニップル４の距離が一定に保たれるから、自動給油機５による給油が可能となる。
【００１８】
【発明の効果】
本発明によれば、チェーンコンベヤが蛇行しても、自動給油機とグリースニップルの距離を給油可能な一定距離に保つことができるから、確実に給油が行える。また、グリースニップルおよび給油アームの給油口の破損等を防止できるから、チェーンコンベヤの寿命延長と補修費の低減が可能となる。
【図面の簡単な説明】
【図１】本発明に係る自動給油機の平面図である。
【図２】図１のＡ−Ａ矢視図である。
【図３】図１のＢ−Ｂ矢視図である。
【図４】従来の自動給油機の作動（１）を説明する平面図である。
【図５】従来の自動給油機の作動（２）を説明する平面図である。
【図６】従来の自動給油機の作動（３）を説明する平面図である。
【符号の説明】
１  チェーンコンベヤ
２  ローラ
３  リンクプレート
４  グリースニップル
５  自動給油機
６  給油アーム
６ａ  給油口
７  ガイドアーム
１０  摺動台
１１  第１ガイドレール
１２  第２ガイドレール
１３  係合部材
１４，１５  係止片
１６  ばね
１７  アーム
１８  当接ローラ
【図１】
0003951347.tif 000002
【図２】
0003951347.tif 000003
【図３】
0003951347.tif 000004
【図４】
0003951347.tif 000005
【図５】
0003951347.tif 000006
【図６】
0003951347.tif 000007